(57)【要約】      （修正有）【課題】畜舎から排出される糞尿汚水溶液物を、安価、容易、さらに短時間に濃縮尿肥料成分と浄化水とに分離する濾過装置を提供する。【解決手段】逆浸透膜浄水器を利用し最小の部品点数の構成部品により構成され、吸水側より吸い上げた糞尿汚水溶液物を、廃棄水を繰り返し濾過し順次高濃縮かされた肥料液、および浄水側から浄水と洗浄水を得られることが実現した。また、各フィルターの目詰まりの洗浄は、バルブ制御盤により各フィルター毎に任意、もしくは手動操作により設定された時間でフィルターの進入側のバルブを閉め、ポンプにより洗浄用タンクより汲み上げられ加圧された洗浄水が指示されたフィルターを逆流して水洗浄を行い目詰まりを安易に解消できるため高濾過能力、フィルター能力維持を長時間保ち操作性も向上する。【選択図】図１
0003123079.tif 000002
【実用新案登録請求の範囲】
【請求項１】
畜舎から貯留槽に流出された糞尿溶液及び洗浄水を逆浸透膜浄化水器を逆方向利用し濾過し畜舎糞尿より濃縮肥料溶液、浄化水に分離し再利用品として生成すことを特徴とする畜舎糞尿高濃縮肥料、浄化水分離抽出処理装置。
【請求項２】
逆浸透膜浄化水器を逆方向に利用し分離濾過された浄化水を再度畜舎洗浄用水、及び家畜用飲料水に再利用することを特徴とする請求項１記載の畜舎糞尿高濃縮肥料、浄化水分離抽出処理装置。
【請求項３】
逆浸透膜浄化水器により分離濾過された浄化水をここの濾過ハウジング個々に１から５気圧に加圧し任意設定された圧力、及び任意作業時間に電磁弁付リリーフ弁が安全弁を一気に各フィルターを分離濾過時とは逆方向に流れ各フィルターの目詰まり解消できる機能を特徴とする請求項１、請求項２記載の畜舎糞尿高濃縮肥料、浄化水分離抽出処理装置。
【考案の詳細な説明】
【技術分野】
【０００１】  本考案は、畜舎から貯留槽に流出した尿溶液物及び洗浄水を含む廃水流から高濃縮肥料液及び浄化水に分離濾過装置に関するものである。
【背景技術】
【０００２】  畜舎において飼育した家畜より排出された糞尿汚水の処理では、施設の整備はもとより希釈水の確保や処理水の放流先の確保など、特に悪臭や希釈水の確保や処理水の放流先の確保などが社会、畜産環境問題化されている。【０００３】  前記の処理方式には堆肥化施設、汚水処理施設等があるが、希釈水の確保、施設面積拡大、建設費、ランニングコスト、維持管理費等に問題が多いという欠点があった。【０００４】  また、体重が５００Ｋｇの乳牛は年間に約４．６ｔの尿量となり生産する肥料成分量は窒素が５７ｋｇ、リン酸が３０ｋｇ、カリウムが６３ｋｇの資源の有効利用なされていない。【０００５】  さらに主尿成分を取り除けば、９０％以上が水で構成されているが畜舎の洗浄水、及び家畜の飲料水としての資源の有効利用なされていない。【０００６】  しかし、畜舎より排出される尿を濃縮、分離できなければ、運搬においても負担も多く、肥料としても付加価値が低く商品価値もなく廃棄物とされる問題点があった。【０００７】  他方、逆浸透膜浄水器により尿を濾過させることにより通常の水道水使用とは違い、溶解物が異なるためフィルターの目詰まりが早く粘着力も高いので除去作業も困難である。【０００８】  しかるに、従来の浄化装置においては、農業用水として農業用水基凖値を所定量以下とするような機を考慮したことによる具体的な構成は、これまで特に提唱されていない。【０００９】  また、一般生活汚泥から浄化水を得る一般的構成は提唱されているが、このような構成においては、生化学的又は化学的な反応工程を前提としており、大掛かりな装置を必要とし、簡便な処理工程にて浄化水を得ることができない。
【考案の開示】
【考案が解決しようとする課題】
【００１０】  解決しようとする問題点は、畜舎から排出される糞尿汚水溶液物を、容易、安価でさらに高能率で長期間濃縮尿肥料成分と浄化水とに分離できない点である。
【課題が解決しようとする課題】
【００１１】  解決しようとする問題点は、畜舎から排出される糞尿汚水溶液物を、逆浸透膜浄水器の第一フィルターハウジングより取り込み順次微細化され濾過通過後、廃棄された尿溶液を逆浸透膜フィルターハウジングに逆接合することにより濃縮尿成分と浄化水とに分離が可能で、小型化が可能で安価で容易な操作で、さらに高濃縮肥料液、及び浄化水とに長期間分離処理し、なおかつ各フィルターの自動洗浄装置も備えたことを最も主要な特徴とする。
【考案を実施するための最良の形態】
【００１２】  上記目的を達成するために、本考案の逆浸透膜浄水器を利用し最小の部品点数の構成部品により、吸水側より吸い上げた糞尿汚水溶液物を、廃棄水側から高濃縮肥料液、浄水側から浄水と洗浄水を得られることが実現した。
【実施例１】
【００１３】  図１は、本考案装置の１実施例であって、２〜は、図１と同様である。また、は洗浄装置の機構である。【００１４】  糞尿処理層１からポンプ２により汲み上げられセディメント・フィルター４を透り、次にプレカーボン・フィルター５を透り、第一、もしくは第二の逆浸透膜メンブレン・フィルター６を透された水は、さらにファイナル・フィルター７を透り高純度の飲料水となり飲料水タンクへ蓄えられ洗浄水排出口より排出される。【００１５】  そして、複数の逆浸透膜メンブレンの廃棄吸口から糞尿汚水溶液物が繰り返し透り、順次に濃縮を繰り返し処理前の１０倍以上の濃度となり高濃縮肥料液となり濃縮肥料タンク１０へ蓄えられ濃縮肥料排出口１４より排出される。【００１６】  さらに、複数の逆浸透膜メンブレンから通された濾過水は、洗浄水タンク８へ蓄えられ飲料水排出口１２より排出される。【００１７】  また、各フィルターの目詰まりの洗浄は、バルブ制御盤１６により各フィルター毎に自動手動切替スイッチ３２切り替えられ、さらに作動時間を任意に設定された時間でフィルターの進入側のバルブ２８を閉め、ポンプ２により洗浄用タンク８より汲み上げられ加圧された洗浄水が指示されたフィルターを逆流して水洗浄を行い目詰まりを安易に解消できるため高濾過能力、フィルター能力維持を長時間保ち操作性にも向上し大いに役立つ。【００１８】  さらに、各フィルターから濾過処理された浄水についてはＴＤＳ計（水中溶解物計測器）３により、濾過状況を確認する用途にも適応でき安全な飲料水の確保も保証される。
【産業上の利用可能性】
【００１９】  本考案の逆浸透膜逆流分離濾過器は、糞尿汚水溶液物を第一フィルターハウジングより取り込み順次微細化された濾過機能を通過後、逆浸透膜フィルターハウジングを逆に接合することにより濃縮尿成分と浄化水とに分離に適応できる。【００２０】  従来の処理方式には堆肥化施設、汚水処理施設等があるが、希釈水の確保、施設面積拡大、建設費、ランニングコスト、維持管理費等に問題を解消できる利点がある。【００２１】  畜舎において飼育した家畜より排出された糞尿汚水の処理では、施設の整備はもとより希釈水の確保や処理水の放流先の確保など、特に悪臭や希釈水の確保や処理水の放流先の確保などが社会、畜産環境問題を解消できる利点がある。【００２２】  また、畜舎より排出される膨大な尿量より優良肥料として資源の有効利用が可能で、さらに畜産業者において高収入源となる利点がある。【００２３】  さらに優れた濾過機能により尿の９０％以上が浄水され畜舎の洗浄水、及び家畜の飲料水としての資源の有効利用が可能で、さらに畜産業者において経費削減となる利点がある。【００２４】  そして、逆浸透膜フィルターのメッシュの違いにもよるが流入出を３段階から６段階繰り返すことにより尿の６倍以上、１０倍近くの濃縮尿肥料として生成可能で運搬時においても負担も多く、肥料としても付加価値も高く出来る利点がある。【００２５】  また、逆浸透膜フィルター使用の機構により農業用水として農業用水基準値を所定量以下とする利点がある。
以下の性能試験は、上記実施の形態に係る災害用緊急移動式逆浸透膜浄水装置について、財団法人東京顕微鏡院にて食品衛生法に基づく水質基準適否２６項目の検査の試験データである。
【表１】
0003123079.tif 000003
結果は表１のようになった【００２６】  前記の処理方式には堆肥化施設、汚水処理施設等があるが、希釈水の確保、施設面積拡大、建設費、ランニングコスト、維持管理費等に問題が解消できる利点がある。【００２７】  他方、家畜の糞尿の浄化処理装置に基づく浄化水においては、農業用水基準値。ＰＨ６．５：６．０〜９．５、ＢＯＤ５：９ｍｇ／Ｌ以下、ＣＯＤ５：６ｍｇ／Ｌ以下、ＳＳＯ：１０ｍｇ／Ｌ以下、窒素全量０．４：１ｍｇ／Ｌ以下の所定値以下とする利点がある。【００２８】  また、家畜が糞尿を排泄した後、処理時間の経過と共に腐敗による悪臭の発生、ハエ、蚊等の害虫の発生による公害苦情が多く、また畜舎内でのアンモニアガス等の発生は家畜等の生育の障害となり、畜舎等で従事している労働環境の影響も軽減できる利点がある。【００２９】  また、畜舎内での糞尿分離型畜舎排水浄化システムの場合、修理作業は大変な苦痛と労働を伴い、畜舎内の温度、湿度の保持、特に寒冷地では浄化槽内の水温を適性保持等による煩雑な作業から解消できる利点がある。【００３０】  さらに、畜舎に関わらず国立、国定公園、公共施設を始め、災害地、演習場、神社仏閣、テーマパーク、高速道路サービスエリア及び料金所、飛行場、港、駐車場、工場、工事現場、キャン上等においても尿汚水の処理の糞尿処理問題も軽減できる利点がある。【００３１】  しかも糞尿溶液濃度を１０倍にまでも濃縮可能で肥料として、また廃棄浄水を再度畜舎洗浄用水、及び家畜用飲料水に有効活用することができ、さらに肥料、および浄水を生成できることにより高収入、経費節減をもたらす畜舎糞尿浄化及び高濃縮肥料抽出処理装置を提供することを目的としている。
【図面の簡単な説明】
【００３２】
【図１】畜舎糞尿高濃縮肥料、及び浄化水抽出装置を示した説明図である。
【図２】メンブレン・フィルターの入出口を示した断面図である。
【図３】バルブ制御盤である。
【符号の説明】
１．  糞尿処理層
２．  吸水加圧ポンプ
３．  切替バルブ
４．  セディメント・フィルター
５．  プレカーボン・フィルター
６．  メンブレン・フィルター
７．  ファイナル・フィルター
８．  電磁弁
９．  洗浄水タンク
１０．飲料水タンク
１１．濃縮肥料タンク
１２．洗浄水排出口
１３．飲料水排出口
１４．濃縮肥料排出口
１５．洗浄水分配器
１６．バルブ制御盤
１７．加圧計
１８．ＴＤＳ計（水中溶解物計測器）
１９．汚水取入口
２０．濃縮汚水排水口
２１．洗浄水入出口
２２．汚水排水口
２３．メンブレン・フィルター・ハウジング
２４．メンブレン・フィルター外部空隙
２５．メンブレン・フィルター内部空隙
２６．メンブレン・フィルター内部空隙と外部連結パイプ
２７．メンブレン・フィルター内部空隙水取入口
２８．汚水取入口・濃縮汚水排水口切替電磁バルブ
２９．洗浄水入出口・汚水排水口切替電磁バルブ
３０．作動タイマー
３１．オン・オフスイッチ
３２．自動・自動切替スイッチ
３３．全作動タイマー
３４．順流タイマー
３５．順流停止タイマー
３６．逆流タイマー
３７．逆流停止タイマー
３８．セット・ボタン
３９．順流確認ランプ
４０．逆流確認ランプ
４１．停止確認ランプ
４２．フィルター部位表示
【図１】
0003123079.tif 000004
【図２】
0003123079.tif 000005
【図３】
0003123079.tif 000006